(57)【要約】【課題】戸建住宅に設置された場合において、２４時間換気システム、レンジフードファン、浴室換気扇等を稼働させて建物の内外差圧が大きくなった場合においても、玄関ドアや窓等が開けにくくなるといった現象が起こるおそれがない、戸建住宅用の差圧式ダンパーを提供することを課題とする。【解決手段】バネ３に保持された調圧弁４を有していて、室内外の圧力差に対応して前記調圧弁４が開閉することによって、壁面に形成された通風路８を開閉して外気を室内に導入する差圧式ダンパーであって、前記調圧弁を保持するバネのバネ圧を設定することにより、前記調圧弁が前記室内外圧力差が略１０Ｐａを超えないように動作可能にした。前記バネ圧の設定は、バネ圧の異なるバネの選択、バネの数の選択、あるいは、ダンパー設置数の選択のいずれかによってなされる。【選択図】図１
2011089712.tif 000002
【特許請求の範囲】
【請求項１】
バネに保持された調圧弁を有していて、室内外の圧力差に対応して前記調圧弁が開閉することによって、壁面に形成された通風路を開閉して外気を室内に導入する差圧式ダンパーであって、前記調圧弁を保持するバネのバネ圧を設定することにより、前記調圧弁が前記室内外圧力差が略１０Ｐａを超えないように動作可能にしたことを特徴とする差圧式ダンパー。
【請求項２】
前記バネ圧の設定は、バネ圧の異なるバネの選択、バネの数の選択、あるいは、ダンパー設置数の選択のいずれかによってなされる、請求項１に記載の差圧式ダンパー。
【請求項３】
前記バネ圧の設定により前記調圧弁が、前記室内外圧力差が略７Ｐａになった時点で開動作を開始するようにされた、請求項１又は２に記載の差圧式ダンパー。
【発明の詳細な説明】
【技術分野】
【０００１】
本発明は差圧式ダンパー、より詳細には、一般家庭、特に一戸建て住宅において用いられ、室内外の差圧によって動作して室内の自動調圧を行う差圧式ダンパーに関するものである。
【背景技術】
【０００２】
近年、住宅の省エネルギー対策手法として高断熱・高気密化が進んできている。このように高気密化が進むに伴い、一方において室内の化学物質によるシックハウス症候群等の問題が顕在化してきた。そこで、この問題を解決するために建築基準法の改正がなされ、１時間に０．５回以上の回数の換気、即ち、１時間当たりに部屋の空気の半分以上が入れ替わる換気を実施するための、機械換気システムの設置が義務付けられることとなった。
【０００３】
建物の形態を考えると、一般に住宅は、マンション等の集合住宅と戸建住宅の二つに大別される。前者は、構造がＲＣ造やＳＲＣ造が多くて一戸当たり床面積が戸建住宅に比較して小さく、躯体の隙間が少ないという傾向が見られる。一方、戸建住宅は木造等の軸組み工法や枠組み壁工法が多く、一戸当たりの床面積は集合住宅に比較して広めで躯体の隙間が多い。しかし、上述したように住宅の高断熱・高気密化が進む中、手法の多様化により、戸建住宅の高気密化が比較的容易になってきている。
【０００４】
しかるに、気密性が極めて高い住宅においては、上記法改正に伴って設置された２４時間換気システムや、レンジフードファン、浴室換気扇等を稼働させた場合、建物の内外差圧が大きくなって、玄関ドアや窓等が開けにくくなる等といった現象が起きている。集合住宅の場合は、上記現象の発生を回避するための対策として、差圧式ダンパーが用いられることがあった。
【０００５】
一方、木造等の軸組み工法や枠組み壁工法により建てられた戸建住宅の場合には、隙間が多いためにそのような対策を講じる必要がなかったが、高気密化の手法の進歩に伴い、集合住宅の場合と同様の問題が浮上してきている。その対策として、集合住宅に用いられている差圧ダンパーをそのまま戸建住宅に転用することが考えられたが、そのようにした場合は、両住宅の構造上の相違から、所期の動作が期待できないことが分かり、新たな技術思想に基づく戸建住宅用の差圧式ダンパーの出現が要望されるに至った。
【先行技術文献】
【特許文献】
【０００６】
【特許文献１】特開２０００−１０４９８８号公報
【特許文献２】特開平１０−２０５８７０号公報
【発明の概要】
【発明が解決しようとする課題】
【０００７】
上述したように、近時、戸建住宅に対する高気密化の手法が進歩し、それに伴い、２４時間換気システム、レンジフードファン、浴室換気扇などを稼働させた場合に建物の内外差圧が大きくなり、玄関ドアや窓等が開けにくくなる等といった、集合住宅の場合と同様の問題が浮上してきた。そして、その対策として、戸建住宅に集合住宅に用いられている差圧ダンパーを転用することが考えられた。
【０００８】
しかし、集合住宅向けに作られた差圧式ダンパーは、集合住宅に特有な構造上の理由（一戸当たりの床面積が小さいとか、気密性能が戸建住宅よりも高く且つ一般的に戸建住宅よりも高層なので、高層階における外部風圧が大きいことに対処しなければならないとかいった理由）から、内外差圧が概ね２０Ｐａ以下を維持するようにすることを目的としているので、これを戸建住宅に用いた場合、上記問題に対して有効に機能しないという問題があった。
【０００９】
本発明は、上記背景の下になされたもので、戸建住宅に設置された場合において、２４時間換気システム、レンジフードファン、浴室換気扇等を稼働させて建物の内外差圧が大きくなった場合においても、玄関ドアや窓等が開けにくくなるといった現象が起こるおそれがない、戸建住宅用の差圧式ダンパーを提供することを課題とする。
【課題を解決するための手段】
【００１０】
上記課題を解決するための請求項１に係る発明は、バネに保持された調圧弁を有していて、室内外の圧力差に対応して前記調圧弁が開閉することによって、壁面に形成された通風路を開閉して外気を室内に導入する差圧式ダンパーであって、前記調圧弁を保持するバネのバネ圧を設定することにより、前記調圧弁が前記室内外圧力差が略１０Ｐａを超えないように動作可能にしたことを特徴とする差圧式ダンパーである。
【００１１】
前記バネ圧の設定は、バネ圧の異なるバネの選択、バネの数の選択、あるいは、ダンパー設置数の選択のいずれかによってなされる。一実施形態においては、前記バネ圧の設定により前記調圧弁が、前記室内外圧力差が略７Ｐａになった時点で開動作を開始するようにされる。
【発明の効果】
【００１２】
本発明に係る差圧式ダンパーは、その調圧弁を保持するバネのバネ圧を設定することにより、前記調圧弁が前記室内外圧力差が略１０Ｐａを超えないように動作可能にされるものであり、その室内外圧力差は、玄関ドア等を開いた際に当該ドア等の重みを感じるようになる直前である。そのため、本差圧式ダンパーが戸建住宅に設置された場合、２４時間換気システム、レンジフードファン、浴室換気扇等を稼働させた際に建物の室内外圧力差が略１０Ｐａ以上になることが防止され、以て、負圧によってドアや窓等が重くなって開けにくくなるといった現象が起こるおそれがなくなる効果がある。
【図面の簡単な説明】
【００１３】
【図１】本発明に係る差圧式ダンパーの構成例を示す図である。
【図２】本発明に係る差圧式ダンパーの動作を示す図である。
【発明を実施するための形態】
【００１４】
本発明を実施するための形態について、添付図面を参照しつつ詳述する。本発明に係る差圧式ダンパーは、バネ３に保持された調圧弁４を有していて、室内外の圧力差に対応して調圧弁４が開閉することによって、壁面に形成された通風路を開閉して外気を室内に導入するものである。図示されたものは、壁面に形成された通風路８内に臨む筒部２を有する基板１と、筒部２内にバネ３に保持されて設置される調圧弁４と、室内側に露呈される基板１に被装されるカバー５とから成る。
【００１５】
調圧弁４としては、例えば、一対の半円形板材を対称的に配置し、それぞれの直径相当部分を１本の軸６で軸支させ、軸６に纏装したネジリコイルバネ３で支持させたバタフライバルブタイプのものとすることができる。この調圧弁４は、室内換気によって室内空気が排出されて室内側の圧力が低下し、室外側の圧力との間にある程度の差が生ずることにより、各半円形板材がバネ３のバネ圧に抗して内方、即ち、室内側に回動し、通風路８を開閉して外気を室内に導入して室内の自動調圧を行う。
【００１６】
このような構成の本発明に係る差圧式ダンパーは、その設置時において、調圧弁４を保持するバネ３のバネ圧（弾発力）が、調圧弁４が室内外圧力差が略１０Ｐａを超えないように動作するように、即ち、室内の自動調圧を行うように設定される。この略１０Ｐａとの値は、戸建住宅において玄関ドア等を開けようとした際に、当該ドア等の重みを感じて開けにくくなる直前の状態であることが、種々試験した結果確認された。従って、略１０Ｐａになることにより調圧弁４が完全に開動作するように設定しておけば、負圧によって玄関ドア等が開けにくくなることがなくなる。
【００１７】
バネ３のバネ圧の設定は、バネ圧の異なる複数のバネ（又はバネ圧の異なる複数の調圧弁４）を用意しておき、その中から選択するか、１つの調圧弁４に用いるバネの数を選択するか、あるいは、本差圧式ダンパーの設置数を選択するかのいずれかによって行うことができる。なお、一実施形態においては、バネ圧の設定により調圧弁４が、室内外圧力差が略７Ｐａになった時点で開動作を開始し、略１０Ｐａになることにより完全に開動作するように設定される。
【００１８】
図２は、一実施形態において、室内外の圧力差に応じて調圧弁４が開閉して、室内の自動調圧をする様子を示したものである。図２（Ａ）は室内外圧力差が約７Ｐａ前後の状態で、調圧弁４は一方の側が僅かに開いている（ステップ１）。図２（Ｂ）は室内外圧力差が約９Ｐａ前後の状態で、調圧弁４は一方の側が開くと共に他方の側が僅かに開いている（ステップ２）。また、図２（Ｃ）は室内外圧力差が約１０Ｐａ前後の状態で、調圧弁４は両側が完全に開いている（ステップ３）。
【００１９】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２０】
１      基板
２      筒部
３      バネ
４      調圧弁
５      カバー
６      軸
８      通風路
【図１】
2011089712.tif 000003
【図２】
2011089712.tif 000004